(57)【要約】【課題】  流下する下水の流れに乱れを生じさせることなく、所望の減衰性能を発揮させることを可能にするとともに、点検孔の十分な開口面積の確保と、点検時の作業性および安全性の向上を可能にする。【解決手段】  縦管１は、縦管本体２内の少なくとも一部に、下水を螺旋状に流下させる螺旋案内路が設けられ、中途部には閉塞部材３によって閉塞可能な点検孔２１が開口されている。閉塞部材３はその内面が縦管本体２の内周面と略同一曲面をなすように形成され、点検孔２１の周縁部には縦管本体２の外周面に沿って同一方向に配置された２本のガイドレール４，４が添設されている。そして、ガイドレール４，４に沿って閉塞部材３をスライドさせることにより、閉塞部材３が点検孔２１に対して開閉可能とされている。【選択図】  図１
2008190249.tif 000002
【特許請求の範囲】
【請求項１】
縦管本体内の少なくとも一部に、下水を螺旋状に流下させる螺旋案内路が設けられ、この縦管本体の中途部には点検孔が開口されて、この点検孔が閉塞部材によって閉塞されている螺旋案内路付き縦管であって、
閉塞部材は点検孔を閉塞したとき閉塞部材の内面が縦管本体の内周面と略同一曲面をなすように形成され、前記点検孔の周縁部には縦管本体の外周面に沿って同一方向に配置された２本のガイドレールが添設されており、当該ガイドレールに沿って前記閉塞部材をスライドさせることにより、閉塞部材が点検孔に対して開閉可能とされていることを特徴とする螺旋案内路付き縦管。
【請求項２】
前記ガイドレールは縦管本体の周方向に配設されており、前記閉塞部材が縦管本体の外周面を前記ガイドレールに沿って周方向に開閉可能に構成されていることを特徴とする請求項１に記載の螺旋案内路付き縦管。
【請求項３】
前記ガイドレールは縦管本体の上下方向に配設されており、前記閉塞部材が縦管本体の外周面をガイドレールに沿って上下方向に開閉可能に構成されていることを特徴とする請求項１に記載の螺旋案内路付き縦管。
【請求項４】
前記閉塞部材は、点検孔の奥行きとほぼ同一の厚みを有して点検孔に嵌合される嵌合部と、この嵌合部の外側に延設されて点検孔の周縁部にオーバーラップするフランジ部とを有する構造であることを特徴とする請求項１〜３のいずれかに記載の螺旋案内路付き縦管。
【請求項５】
前記閉塞部材の内面側には、縦管本体の点検孔との間に止水ゴムが配設されていることを特徴とする請求項１〜４のいずれかに記載の螺旋案内路付き縦管。
【請求項６】
前記ガイドレールには、前記閉塞部材の周縁部形状に対応した断面形状の段部が形成されており、この段部に沿って前記閉塞部材が走行しうることを特徴とする請求項１〜５のいずれかに記載の螺旋案内路付き縦管。
【発明の詳細な説明】
【技術分野】
【０００１】
本発明は、高低差を有する垂直下水管路に使用して、自然流下する水流を減衰させる螺旋案内路付き縦管に関する。
【背景技術】
【０００２】
従来、例えば特許文献１に記載されているように、マンホールの側壁からマンホール内に突出された流入管の一端に縦管の上端を接続し、縦管の下端をマンホール内の底部に設置して、流入管によりマンホール内に流入された下水を縦管に導入する技術が知られている。下水道において流域下水道の幹線は、地中の比較的深い位置に計画されており、関連公共下水道との接続点では高落差接合となっている。
【０００３】
このため、一つのマンホール内で高落差処理を行う場合には、マンホール内に設けられる縦管が長くなるので、縦管下端から流出される下水の落下衝撃が大きく、マンホールの底部を損傷するおそれがあった。
【０００４】
そこで、例えば特許文献２，３に記載されているように、縦管本体の内面に沿って上端から下端まで、螺旋状に形成された螺旋案内板を形成した縦管（ドロップシャフト）を配置する方法が採用されている。
【０００５】
この種の縦管には、垂直に配設された直管状の縦管本体に対して、下水を螺旋状に旋回させて流下させる螺旋案内路が設けられている。これにより、マンホール内に流入した下水の流下エネルギーを減衰させて、流下した下水によって縦管底部が強い衝撃や荷重を受けるのを避けるとともに、強度を確保することによって底部の摩耗も抑制しうるように形成されている。また、螺旋案内路の軸芯部には、螺旋案内路に案内される下水中に含む空気を上方に排除するために中心筒が設けられている。
【０００６】
このような螺旋案内路付き管では、その上端部に流入する下水が、螺旋案内路に沿って流下する間に減衰される。したがって、マンホールの底部は、流下水の荷重や衝撃によっても破損や摩耗が抑制されるようになっている。
【０００７】
例えば図３および図４に示すように、上流側水平管路１０２から下水流水平管路１０３まで、高低差を有する下水路の連結に用いられる縦管１０１が、縦方向に沿ってコンクリート地下構造物１０内に設けられている。
【０００８】
このコンクリート地下構造物１０は、維持管理のため、点検を行う作業員が進入可能な空間部１０４を有していて、縦方向の中間部に作業用の中間スラブ１０５も設けられている。
【０００９】
前記縦管１０１は、上流側水平管路１０２から延設される横管１０２ａに接続可能なＴ字状接続部１０６と、このＴ字状接続部１０６に、順次、下方に向けて接続される上部螺旋案内路１０７、中間案内路１０８、下部螺旋案内路１０９とを有して縦管本体１１０が構成されている。
【００１０】
このうち、上部螺旋案内路１０７には中空の中心筒１０７ａの周囲に螺旋案内板１０７ｂが設けられ、下部螺旋案内路１０９にも、螺旋案内板１０９ａが設けられている。さらに、中間案内路１０８の側面部には中間スラブ１０５に対応する高さ位置に、点検用サドル部１１１が設けられている。
【００１１】
図４に示すように、この点検用サドル部１１１は、中間案内路１０８の側面部に開口形成された点検孔１１２を覆い、バンド部材１１３、１１３もしくは溶着等によって固定される取付鞍部１１５から、小径の円筒口体１１６が突設されて構成されている。
【００１２】
また、円筒口体１１６の端縁の開口部周縁には、点検用蓋体１１７が設けられており、ボルト等によって脱着可能となるように構成されている。
【特許文献１】実開平４−５３８４２号公報
【特許文献２】特開平８−４１９１５号公報
【特許文献３】特開２０００−３１５０５５号公報
【発明の開示】
【発明が解決しようとする課題】
【００１３】
しかしながら、上記のような従来のドロップシャフト構造では、点検用サドル部１１１が装着される中間案内路１０８の点検孔１１２の周囲に、内側壁に沿って流れる渦流状の下水が当たり、水流を乱してしまうおそれがあった。
【００１４】
また、内側壁に沿って流下する螺旋状の下水が、点検孔１１２の周囲に当たると、飛散したりあるいは交雑物が内側壁に付着して、円筒口体１１６の内部に残留してしまうおそれもあった。
【００１５】
そして、縦管本体１１０内を点検しやすいように、点検孔１１２を大口径に開口形成しようとすると、点検用サドル部１１１が大きくなってしまい、中間案内路１０８に固定することが困難になって、作業性や止水性が低下するおそれもあった。
【００１６】
また、相当な重さのある点検用蓋体１１７を脱着して点検孔１１２を開閉する作業は、狭い空間部１０４内において、非常に労力を要するものであって作業性に劣り、取り外した蓋体１１７を置いておく場所がなかったり、蓋体１１７が作業の邪魔になったりすることがあり、また誤って蓋体１１７を落下させてしまう危険性もあった。
【００１７】
そこで本発明は、上記のような問題点にかんがみてなされたものであり、流下する下水の流れに乱れを生じさせることなく、所望の減衰性能を発揮させることを可能にするとともに、点検孔を容易に設置できて止水性にも優れ、点検作業を行う際に十分な開口面積を確保できるようにし、点検時の作業性および安全性をともに向上させることのできる螺旋案内路付き縦管構造を提供するものである。
【課題を解決するための手段】
【００１８】
上記した目的を達成するため、本発明は、縦管本体内の少なくとも一部に、下水を螺旋状に流下させる螺旋案内路が設けられ、この縦管本体の中途部には点検孔が開口されて、この点検孔が閉塞部材によって閉塞されている螺旋案内路付き縦管であって、閉塞部材は点検孔を閉塞したとき閉塞部材の内面が縦管本体の内周面と略同一曲面をなすように形成され、前記点検孔の周縁部には縦管本体の外周面に沿って同一方向に配置された２本のガイドレールが添設されており、当該ガイドレールに沿って前記閉塞部材をスライドさせることにより、閉塞部材が点検孔に対して開閉可能とされていることを特徴とする。
【００１９】
このような構成によれば、点検孔は閉塞部材によって閉塞されているとき、点検孔と閉塞部材との境界部にほとんど段差を生じず、略同一曲面を形成することができるので、縦管本体内を流下する下水の流れに乱れを生じさせることなく、所望の減衰性能を発揮させることができる。また、閉塞部材はガイドレールをスライドさせて開閉することが可能であるので、閉塞部材の開閉が容易であるとともに、省スペースで点検孔を開閉でき、点検作業の作業性を高めることができる。さらに、このような構成により、点検孔を縦管本体に設けることが容易となり、点検作業を行う際に十分な開口面積を確保することも可能になる。
【００２０】
前記ガイドレールとしては、縦管本体の周方向に配設されており、前記閉塞部材は、縦管本体の外周面を前記ガイドレールに沿って周方向に開閉可能に構成されていることが好ましい。
【００２１】
あるいはまた、前記ガイドレールは、縦管本体の上下方向に配設されており、前記閉塞部材は、縦管本体の外周面をガイドレールに沿って上下方向に開閉可能に構成されていてもよい。
【００２２】
このようにガイドレールが構成されることにより、閉塞部材の容易な開閉を可能にするとともに省スペースで点検孔を開閉することができる。また、点検孔を開けたとき、閉塞部材をそのままガイドレール上に支持させておくことも可能であるので、一時的な閉塞部材の設置場所を必要とせず、狭い作業空間内にあっても作業を効率よく進めることが可能になり、閉塞部材を落下させるおそれもない。
【００２３】
また、前記閉塞部材としては、点検孔の奥行きとほぼ同一の厚みを有して点検孔に嵌合される嵌合部と、この嵌合部の外側に延設されて点検孔の周縁部にオーバーラップするフランジ部とを有する構造であることが好ましい。さらに、前記閉塞部材の内面側には、縦管本体の点検孔との間に止水ゴムが配設されていることが好ましい。
【００２４】
このように閉塞部材が構成されることにより、点検孔を確実に閉塞することができ、止水性を高めることを可能にして、縦管の信頼性を向上させることができる。
【００２５】
また、本発明において、前記ガイドレールには、前記閉塞部材の周縁部形状に対応した断面形状の段部が形成されており、この段部に沿って前記閉塞部材が走行しうるように構成されていることが好ましい。
【００２６】
これにより、点検孔を閉塞部材によって開閉するとき、閉塞部材の周縁部をガイドレールに沿って走行させることが容易であり、閉塞部材が傾いたり倒れたりするのを防止することが可能になるので、大きな労力を要することなく開閉作業を行うことができる。
【発明の効果】
【００２７】
上述のように構成される本発明の螺旋案内路付き縦管によれば、流下する下水の流れに乱れを生じさせることなく、所望の減衰性能を発揮させることを可能にするとともに、容易に設置でき、設置作業性および止水性にも優れ、点検作業を行う際に十分な開口面積を確保して点検時の作業性および安全性をともに向上させることができる。
【発明を実施するための最良の形態】
【００２８】
以下、本発明に係る螺旋案内路付き縦管を実施するための最良の形態について、図面を参照しつつ説明する。
【００２９】
図１および図２は本発明の螺旋案内路付き縦管の一例を示し、図１は螺旋案内路付き縦管の側面を部分的に示す斜視図、図２は図１の縦管の横断面図である。
【００３０】
例示の形態の螺旋案内路付き縦管１は、従来の図３に示すドロップシャフト構造と同様に、上流側水平管路（１０２）から下流側水平管路（１０３）まで、高低差を有する下水路の連結に用いられ、縦管１がコンクリート地下構造物（１０）内の高さ方向に設けられている。
【００３１】
このコンクリート地下構造物（１０）は、縦管１の点検を行う作業員が、進入可能な空間部（１０４）を備えており、高さ方向のほぼ中間部に作業用スラブ（１０５）等が設けられている。
【００３２】
縦管１には、上部螺旋案内路（１０７）、中間案内路（１０８）、および下部螺旋案内路（１０９）が形成され、これらにより縦管本体２が構築されている。上部螺旋案内路（１０７）の中心部には、内部が中空とされたＦＲＰ製の空気芯筒が一体的に形成されている。螺旋案内路（１０７，１０９）の外周縁には、全長にわたって、例えばゴム製の帯状の弾性体が接着されていてもよい。
【００３３】
このうち、螺旋案内路の設けられていない中間案内路（１０８）には、近傍の作業用スラブ（１０５）にて作業する作業者を想定した高さ位置となる管壁に点検孔２１が開口されている。
【００３４】
図１に示すように、点検孔２１は、側面視で正方形または長方形の矩形状に開口され、縦管本体２の口径に合わせてその大きさが設定されている。例えば、縦管本体２の口径が内径で２５０〜８００ｍｍ程度の小口径である場合には、点検孔２１の一辺が２００ｍｍ程度の矩形状で開口されていることが好ましく、縦管本体２の口径が内径で９００〜３０００ｍｍ程度の中・大口径の場合には、点検孔２１の一辺が６００ｍｍ程度の矩形状で開口されていることが、維持管理のしやすさの観点から好ましい。
【００３５】
また、この点検孔２１は、閉塞部材３によって閉塞することができるように構成されている。閉塞部材３は、点検孔２１を閉塞したとき、閉塞部材３の内面が縦管本体２の内周面と略同一曲面をなすように形成されている。
【００３６】
すなわち、図２に示すように、閉塞部材３は少なくともその内面側が、縦管本体２の内周面とほぼ面一となって納まるように形成されている。また、閉塞部材３は、点検孔２１に嵌合される嵌合部３１と、この嵌合部３１の外側に延設されたフランジ部３３とを有する構造となっている。
【００３７】
嵌合部３１は、縦管本体２と同等の曲率を有し、また点検孔２１の奥行き（すなわち、この場合には縦管本体２の肉厚と同等の厚み）を有して形成され、点検孔２１に嵌め込むことが可能な形状となされている。この嵌合部３１の外面側には、開閉時に作業者が使用する把手部３２が設けられている。
【００３８】
また、この嵌合部３１から四周に延設されたフランジ部３３は、点検孔２１に閉塞部材３が嵌め込まれたとき、点検孔２１の周縁部にオーバーラップするように所定幅で形成されている。このフランジ部３３には、複数個の固定孔３４…３４が形成されている。各固定孔３４には、縦管本体２の点検孔２１の周囲に貫通して固定されるボルト（３５）が挿通できるようになっている。
【００３９】
さらに、かかる閉塞部材３には、フランジ部３３の内面側と縦管本体２の点検孔２１との間に、止水ゴム３６が配設されている。これにより、閉塞部材３による点検孔２１の止水性を確保可能とされている。図２に示すように、止水ゴム３６は、閉塞部材３のフランジ部３３の内面四周に配設されていることが好ましい。
【００４０】
そして、このように構成される閉塞部材３が、フランジ部３３の固定孔３４…３４を介してボルト・ナット３５により縦管本体２に固定されることにより、その四周の止水ゴム３６はフランジ部３３と点検孔２１周囲（縦管本体２の外周面）との間で圧潰されて、点検孔２１の止水性が確保されるようになっている。
【００４１】
また、本発明において、閉塞部材３は、縦管本体２の外周面に配設されたガイドレール４，４に沿って開閉させることができる。図１に示すように、縦管本体２の点検孔２１の周縁部には、縦管本体２の外周面に沿って同一方向に配置されて互いに平行な２本のガイドレール４，４が添設されている。例示の形態では、ガイドレール４，４はそれぞれ走行溝４１を有し、縦管本体２の周方向に配置されている。
【００４２】
ガイドレール４，４には、閉塞部材３の周縁部形状、すなわち嵌合部３１とフランジ部３３との段部形状に対応させた断面形状の段部４２が形成されている。段部４２は、各ガイドレール４，４の内側に、それぞれ縦管本体２の外周面に沿わせて突設されている。そして、このような段部４２に沿って閉塞部材３を、縦管本体２の外周面に沿って走行させることができるように構成されている。
【００４３】
また、図２に横断面で示されるように、ガイドレール４，４の走行溝４１の溝幅は、閉塞部材３の嵌合部３１とフランジ部３３の双方を含めた厚みに対応させて設定され、閉塞部材３をガイドレール４，４のそれぞれの走行溝４１内に走行可能にするとともに、閉塞部材３の上下辺縁部を支持して落下を防止することも可能にしている。
【００４４】
したがって、点検孔２１を閉止した状態の閉塞部材３を開ける際には、周囲のボルト・ナット３５を取り外した後、閉塞部材３を縦管本体２の外側方向に引き出し、嵌合部３１を点検孔２１から完全に抜き出してから、ガイドレール４，４の走行溝４１に沿って周方向にスライドさせるようにする。このように閉塞部材３をガイドレール４，４に沿って周方向に引くことにより、縦管本体２の側面に点検孔２１を露出させることができ、点検作業を行うことができる。
【００４５】
このように構成される螺旋案内路付き縦管１は、点検孔２１の閉塞部材３をガイドレールに沿って開閉することができるので、点検孔２１の開閉作業を過大な労力を要することなく容易に行うことができ、閉塞部材３を誤って落下させることも防止することができる。また、コンクリート地下構造物（１０）内の狭い作業空間においても、省スペースで閉塞部材３を開閉することができ、点検孔２１を開けた後の閉塞部材３の設置場所を必要としないので、点検作業の作業スペースを確保することができ、効率よく点検作業を行うことが可能になる。
【００４６】
また、閉塞部材３が点検孔２１を閉止しているとき、この閉塞部材３の内面が縦管本体２の内周面と略同一曲面をなすように形成されているので、縦管本体２内を流下する下水の流れに乱れを生じさせることなく、所望の減衰性能を発揮させることが可能であり、点検孔２１の設置も容易にでき、止水性にも優れたものとすることができる。
【００４７】
なお、本発明は上記の実施形態に限定されるものではなく、このほか、閉塞部材３のガイドレールが縦管本体２の上下方向に配設された構成であって、その閉塞部材３が、縦管本体２の外周面を前記ガイドレールに沿って上下方向に開閉可能となるように形成されていてもよい。この場合、ガイドレールの下端縁に閉塞部材３の受け部を設けるようにして、閉塞部材３の落下を防止するようにしてもよい。また、点検孔２１および閉塞部材３の形状も、前記矩形状に限定されず、ガイドレール４，４に支持可能な形状であれば、側面視で円形や楕円形とされるなど、どのような形状であってもよい。
【産業上の利用可能性】
【００４８】
本発明は、自然流下式の垂直下水道管路に使用して、螺旋案内路付き縦管の点検孔を好適に構成するのに利用することができる。
【図面の簡単な説明】
【００４９】
【図１】本発明の螺旋案内路付き縦管の一例であり、縦管側面を部分的に示す斜視図である。
【図２】図１の縦管の横断面図である。
【図３】従来一般の縦管が地下構造物内に設けられている様子を説明する模式的な一部断面斜視図である。
【図４】従来例の螺旋案内路付き縦管の構造を縦断面により示す説明図である。
【符号の説明】
【００５０】
１    螺旋案内路付き縦管
２    縦管本体
２１  点検孔
３    閉塞部材
３１  嵌合部
３２  把手部
３３  フランジ部
３４  固定孔
３５  ボルト・ナット
３６  止水ゴム
４    ガイドレール
４１  走行溝
４２  段部
【図１】
2008190249.tif 000003
【図２】
2008190249.tif 000004
【図３】
2008190249.tif 000005
【図４】
2008190249.tif 000006